(57)【要約】【課題】輝度ムラを調整可能な有機ＥＬディスプレイにおける駆動回路を提供することにある。【解決手段】陽極線走査回路１００は、発光素子（Ｅ）の駆動源となる基準電流（ｉ）を複数のブロック毎に発生させる基準電流発生部１０１と、各レジスタ１０２に記憶された調整値に基づいて、この発生された各ブロック毎の基準電流（ｉ）の電流値を調整する調整部１０３と、調整された基準電流値を後述する駆動回路に出力させる電界効果トランジスタ（ＦＥＴ）１０５と、有機ＥＬからなる発光素子（Ｅ）に供給する基準電流（ｉ）の供給制御を行う駆動回路１０４と、を備え、各ブロック毎に駆動回路１０４に入力される基準電流（ｉ）を調整するようになっている。【選択図】　　　図５
2004145027.tif 000002
【特許請求の範囲】
【請求項１】
複数の発光素子がマトリックス状に形成されるとともに、前記発光素子を列毎に走査して発光する表示部を駆動する発光素子の駆動装置であって、
前記表示部における一方の走査線の走査方向である第１走査方向の各走査線毎に、前記各発光素子を駆動する際に基準となる基準電流を供給する第１駆動手段と、
前記表示部における他方の走査方向である第２走査方向の各走査線毎に、予め定められた電圧を印加する第２駆動手段と、
を備え、
前記第１駆動手段が、
前記表示部の第１走査方向の各走査線毎、または、当該第１走査方向の複数の走査線毎の少なくとも何れか一方の走査線毎に前記基準電流を発生させる基準電流発生手段と、
前記発生させた基準電流毎に電流値を調整する調整手段と、
前記調整された各基準電流を前記第１走査方向の各走査線毎に供給する駆動回路と、
を有することを特徴とする発光素子の駆動装置。
【請求項２】
請求項１に記載の発光素子の駆動装置において、
前記基準電流発生手段が、前記第１走査方向の複数の走査線から構成されるブロック毎に前記基準電流を発生させる場合であって、
前記駆動回路が、前記ブロック毎に、前記調整手段によって調整された各基準電流に伴う電圧である各基準電圧が印加されることにより、当該各ブロック毎の各走査線に前記基準電流を供給することを特徴とする発光素子の駆動装置。
【請求項３】
請求項２に記載の発光素子の駆動装置において、
前記駆動回路に、前記第１走査方向の各走査線毎に、前記各ブロック毎に印加される基準電圧に基づいて当該各走査線への基準電流の供給を制御するスイッチング回路を設け、
前記各ブロック毎の各スイッチング回路を、前記ブロック毎に印加される基準電圧を分圧する分圧回路によって連接されるとともに、
前記各ブロックの一端に連接されたスイッチング回路を、隣接する他のブロックの一端のスイッチング回路と前記分圧回路によって連接されることを特徴とする発光素子の駆動装置。
【請求項４】
請求項２または３に記載の発光素子の駆動装置において、
前記第１駆動手段に、
予め設定された基準電流を取得する基準電流取得手段と、
前記取得された各基準電流の電流値に基づいて前記各調整手段を制御する制御手段と、
を設けたことを特徴とする発光素子の駆動装置。
【請求項５】
請求項２または３に記載の発光素子の駆動装置において、
前記第１駆動手段に、
前記各ブロック毎に前記調整手段によって調整された各基準電流を取得する基準電流取得手段と、
前記取得された各基準電流の電流値に基づいて前記各調整手段を制御する制御手段と、
を設けたことを特徴とする発光素子の駆動装置。
【請求項６】
請求項５に記載の発光素子の駆動装置において、
前記駆動回路に、第１走査方向の各走査線毎に、前記各ブロック毎に印加された基準電圧に基づいて当該各走査線への基準電流の供給を制御するスイッチング回路が設けられている場合であって、
前記基準電流取得手段が、前記各ブロック毎に、前記各ブロック毎に印加される基準電圧に基づいて前記基準電流を取得する取得用スイッチング回路を有し、
前記取得用スイッチング回路が、各ブロック毎に設けられた前記複数のスイッチング回路のうち少なくとも何れか１のスイッチング回路に連接されることを特徴とする発光素子の駆動装置。
【請求項７】
請求項１に記載の発光素子の駆動装置において、
前記基準電流発生手段が、前記第１走査方向の走査線毎に前記基準電流を発生させる場合であって、
前記第１駆動手段に、
前記第１走査方向の各走査線毎に、当該各走査線へ供給する基準電流を取得する基準電流取得手段を設け、
前記調整手段が、前記取得された各基準電流の電流値に基づいて前記第１走査方向の各走査線毎に前記基準電流発生手段によって発生された各基準電流の電流値を調整することを特徴とする発光素子の駆動装置。
【請求項８】
請求項７に記載の発光素子の駆動装置において、
前記調整手段が、予め設定された時間間隔毎に、前記各第１走査方向の各走査線毎に供給する各基準電流の電流値を順次調整することを特徴とする発光素子の駆動装置。
【請求項９】
請求項７または８に記載の発光素子の駆動装置において、
前記調整手段が、
前記各基準電流取得手段によって取得された前記基準電流の電流値と前記基準電流発生手段によって発生される基準電流の電流値を比較する比較器と、
前記比較器の比較結果に基づいて前記第１走査方向の各走査線毎に供給する前記各基準電流の電流値を調整する電流調整手段と、
を有することを特徴とする発光素子の駆動装置。
【請求項１０】
請求項９に記載の発光素子の駆動装置において、
前記駆動回路に、前記第１走査方向の各走査線毎に、前記調整手段によって調整された各基準電流に伴う電圧である各基準電圧に基づいて、当該調整された各基準電流の供給を制御するスイッチング回路を設け、
前記電流調整手段が、前記比較器の比較結果に基づいて調整された各基準電流に伴う電圧である各基準電圧を保持するとともに、当該保持した基準電圧を前記駆動回路に印加することによって各走査線毎に供給する前記各基準電流の電流値を調整することを特徴とする発光素子の駆動装置。
【発明の詳細な説明】
【０００１】
【発明の属する技術分野】
本発明は、有機ＥＬ発光素子（Ｅ）によってディスプレイを構成する有機ＥＬディスプレイの駆動回路の技術分野に属する。
【０００２】
【従来の技術】
エレクトロルミネッセンス（ＥＬ：ＥｌｅｃｔｒｏＬｕｍｉｎｅｓｃｅｎｃｅ）素子には、セレンや亜鉛などの無機化合物薄膜を発光材料として用いる無機発光素子（Ｅ）と、有機化合物を発光材料として用いる有機ＥＬ発光素子（Ｅ）とがある。
【０００３】
有機ＥＬ発光素子（Ｅ）には、（１）発光効率が高い、（２）駆動電圧が低い、（３）発光材料を選択することで様々な色（緑、赤、青、黄など）を表示可能、（４）自発光型であるため表示が鮮明でバックライトが不要、（５）面発光であり、視野角依存性が無い、（６）薄型で軽量、（７）製造プロセスの最高温度が低いため、基板材料にプラスチックフィルムなどのような柔らかい材質を用いることが可能、などの優れた特徴がある。
【０００４】
そこで、近年、ＣＲＴやＬＣＤに代わり、車載用ＡＶ機器や、携帯機器であるＰＤＡ、携帯電話機など表示装置として、有機ＥＬ発光素子（Ｅ）を用いたディスプレイ（以下、有機ＥＬディスプレイという。）が注目されている。
【０００５】
有機ＥＬ発光素子（Ｅ）をディスプレイに応用する場合は、ドットマトリクス表示が一般的である。このドットマトリクス表示の有機ＥＬディスプレイの駆動には、アクティブ方式とパッシブ方式とがある。
【０００６】
前者のアクティブ方式では、画素を構成する有機ＥＬ発光素子（Ｅ）の個々に薄膜トランジスタ（ＴＦＴ）からなるスイッチング素子が接続されており、駆動時は、常時点灯する、いわゆる、スタティック駆動が行なわれるようになっている。
【０００７】
一方、後者のパッシブ方式では、陰陽各電極が、複数の行と列から構成されるマトリックス状のライン電極群として形成されるとともに、陰陽各電極のラインを走査することによって順次選択され、列ラインと行ラインとが選択された時にのみ点灯する、いわゆる、デューティ駆動が行なわれるようになっている（例えば、特許文献１参照。）。
【０００８】
上記２方式のディスプレイのうち、アクティブ方式は、ＴＦＴを必要とし、高価であるが、画素数の多い、比較的大型のディスプレイに適している一方、ドットマトリクス表示のパッシブ方式のディスプレイは、アクティブ方式と比較して、製造プロセスが簡単であり、低コストで製造できるため、特に、比較的画素数の少ない小型ディスプレイに多く用いられており、現段階では実用規模で生産されはじめている。
【０００９】
【特許文献１】
特開平９−２３２０７４号公報
【００１０】
【発明が解決しようとする課題】
しかしながら、ドットマトリクス表示のパッシブ方式のディスプレイは、表示パネルを構成する有機ＥＬ発光素子（Ｅ）の発光が当該有機ＥＬ発光素子（Ｅ）を駆動する駆動電流に比例するため、各有機ＥＬを駆動する各定電流源の電流ばらつきや当該有機ＥＬ発光素子（Ｅ）のばらつきなどにより、有機ＥＬの発光ムラ、すなわち、ディスプレイの輝度ムラが発生するという問題を有していた。
【００１１】
本発明は、上記の各問題点に鑑みて為されたもので、その課題の一例としては、輝度ムラを調整可能な有機ＥＬディスプレイにおける駆動回路を提供することにある。
【００１２】
【課題を解決するための手段】
上記の課題を解決するために、請求項１に記載の発明は、複数の発光素子がマトリックス状に形成されるとともに、前記発光素子を列毎に走査して発光する表示部を駆動する発光素子の駆動装置であって、前記表示部における一方の走査線の走査方向である第１走査方向の各走査線毎に、前記各発光素子を駆動する際に基準となる基準電流を供給する第１駆動手段と、前記表示部における他方の走査方向である第２走査方向の各走査線毎に、予め定められた電圧を印加する第２駆動手段と、を備え、前記第１駆動手段が、前記表示部の第１走査方向の各走査線毎、または、当該第１走査方向の複数の走査線毎の少なくとも何れか一方の走査線毎に前記基準電流を発生させる基準電流発生手段と、前記発生させた基準電流毎に電流値を調整する調整手段と、前記調整された各基準電流を前記第１走査方向の各走査線毎に供給する駆動回路と、を有する構成をしている。
【００１３】
【発明の実施の形態】
次に、本願の実施の形態について、図面に基づいて説明する。
【００１４】
〔パッシブ方式の概要およびその動作〕
まず、図１〜図４を用いてドットマトリクス表示のパッシブ方式の有機ＥＬパネル（以下、単に有機ＥＬパネルという。）とその駆動装置の概要構成その概要動作について説明する。
【００１５】
なお、図１は、有機ＥＬパネルとその駆動装置の概要構成を示す構成図である。
【００１６】
また、本実施形態では、陽極線は２５６本および陰極線は６４本として説明するとともに、本駆動装置のドライブ方法は、陰極線走査・陽極線ドライブとして説明する。
【００１７】
有機ＥＬパネル１０には、陽極線（Ａ１）〜（Ａ２５６）と陰極線（Ｂ１）〜（Ｂ６４）がマトリックス（格子）状に配設され、このマトリックス状に配設された陽極線（Ａ）と陰極線（Ｂ）の各交点位置に発光素子（Ｅ１、１）〜（Ｅ２５６、６４）が接続されている。
【００１８】
駆動装置２０は、陰極線（Ｂ）を一定の時間間隔で順次選択して走査するとともに、この走査に同期して陽極線（Ａ）を駆動源たる電流源４１１〜４１２５６で駆動することにより、任意の交点位置の発光素子を発光させることによって入力された画像データを有機ＥＬパネル１０に表示するようになっている。
【００１９】
また、駆動装置２０は、各陰極線Ｂ１〜Ｂ６４を順次に走査する陰極線走査回路３０と、駆動源たる電流源４１１〜４１２５６を有する陽極線駆動回路４０と、陽極線（Ａ１）〜（Ａ２５６）の電位をリセットする陽極リセット回路５０、陰極線走査回路３０、陽極線駆動回路４０、および陽極リセット回路５０を制御する発光制御回路６０とを備えている。
【００２０】
なお、例えば、陰極線走査回路３０は、本発明に係る第２駆動手段を構成し、陽極線走査回路４０は、本発明に係る第１駆動手段を構成する。
【００２１】
陰極線走査回路３０は、各陰極線（Ｂ１）〜（Ｂ６４）を順次に走査するための走査スイッチ３１１　〜３１６４を備えており、各走査スイッチ３１１　〜３１６４の一方の端子は、電源電圧からなる逆バイアス電圧ＶＣＣ（例えば、１０Ｖ。）に接続され、他方の端子は、アース電位（０Ｖ）にそれぞれ接続されている。
【００２２】
陽極駆動回路４０は、駆動源たる電流源４１１　〜４１２５６　と、各陽極線（Ａ１）〜（Ａ２５６）を選択するための駆動スイッチ４２１　〜４２２５６　とを備えており、駆動用の電流源４１１　〜４１２５６　は、任意の駆動スイッチをＯＮすることにより、当該陽極線に接続されるようになっている。
【００２３】
陽極リセット回路５０は、陽極線（Ａ１）〜（Ａ２５６）をアース電位（０Ｖ）へリセットするためのシャントスイッチ５１１　〜５１２５６　を備えている。
【００２４】
発光制御回路４は、これらの走査スイッチ３１１〜３１６４、駆動スイッチ４２１〜４２２５６　およびシャントスイッチ５１１〜５１２５６のＯＮ・ＯＦＦを入力されたデータに基づいて制御するようになっている。
【００２５】
次に、図１〜図４を用いて有機ＥＬパネル１０のパッシブ駆動における発光動作について説明する。
【００２６】
なお、以下に述べる動作は、陰極線（Ｂ１）を走査して発光素子（Ｅ１、１）と（Ｅ２、１）を光らせた後、陰極線（Ｂ２）に走査を移して発光素子（Ｅ２、２）と（Ｅ３、２）を光らせる場合を例に採って説明する。
【００２７】
また、説明を分かり易くするために、光っている発光素子についてはダイオード記号で示し、光っていない発光素子についてはコンデンサ記号で示す。
【００２８】
また、陰極線（Ｂ１）〜（Ｂ６４）に印加する逆バイアス電圧ＶＣＣは、装置の電源電圧と同じ１０Ｖとする。
【００２９】
まず、図１では、走査スイッチ３１１　が０Ｖ側に切り換えられ、陰極線Ｂ１　が走査されており、他の陰極線（Ｂ２）〜（Ｂ６４）には、走査スイッチ３１２　〜３１６４により逆バイアス電圧１０Ｖが印加されている。
【００３０】
また、陽極線（Ａ１）と（Ａ２）には、駆動スイッチ４２１と４２２によって電流源４１１，４１２が接続されており、他の陽極線（Ａ３）〜（Ａ２５６）には、シャントスイッチ５１３〜５１２５６によって０Ｖが与えられている。
【００３１】
このため、図１の場合、発光素子（Ｅ１、１）と（Ｅ２、１）のみが準方向にバイアスされ、電流源３１１　と３１２　から矢印のように駆動電流が流れ込み、発光素子（Ｅ１、１）と（Ｅ２、１）のみが発光するようになっている。
【００３２】
この図１の状態では、コンデンサにハッチングして示した発光素子は、それぞれ図のような極性の向きに充電された状態となっており、この　図１の発光状態から　　図４の発光素子（Ｅ２、２）と（Ｅ３、２）が発光する状態に走査を移行する際に、以下のようなリセット制御が行なわれるようになっている。
【００３３】
すなわち、走査が　図１の陰極線Ｂ１から　図４の陰極線Ｂ２　に移行する前に、まず、　図２に示すように、すべての駆動スイッチ４１１　〜４１６４をオフするとともに、すべての走査スイッチ３１１　〜３１６４とすべてのシャントスイッチ５１１〜５１２５６を０Ｖ側に切り換え、陽極線（Ａ１）〜（Ａ２５６）と陰極線（Ｂ１）〜（Ｂ６４）のすべてを一旦０Ｖにシャントし、０Ｖによるオールリセットをかけるようになっている。
【００３４】
この０Ｖへのオールリセットが行なわれると、陽極線と陰極線のすべてが０Ｖの同電位となるので、各発光素子に充電されていた電荷は図中の矢印で示すようなルートを通って放電し、すべての発光素子の充電電荷が瞬時のうちに０となる。
【００３５】
前記のように動作させることによって、すべての発光素子の充電電荷を０にした後、図３に示すように、陰極線（Ｂ２）に対応する走査スイッチ３１２のみを０Ｖ側に切り換え、陰極線（Ｂ２）の走査を行なうようになっている。
【００３６】
これと同時に、駆動スイッチ４２２と４２３のみを電流源４１２と４１３側に切り換えるとともに、シャントスイッチ５１１，５１４〜５１２５６をＯＮし、陽極線（Ａ１），（Ａ４）〜（Ａ２５６）に０Ｖを与えるようになっている。
【００３７】
上記スイッチの切り換えによって陰極線（Ｂ２）の走査が行なわれると、前述したようにすべての発光素子の充電電荷は０とされているので、次に発光させるべき発光素子（Ｅ２、２）と（Ｅ３、２）には、　図３中に矢印で示したような複数のルートで充電電流が一気に流れ込み、それぞれの発光素子の寄生容量Ｃが瞬時に充電されるようになっている。
【００３８】
すなわち、発光素子（Ｅ２、２）には、電流源４１２→駆動スイッチ４２２→陽極線（Ａ２）→発光素子（Ｅ２、２）→走査スイッチ３１２のルートで充電電流が流れ込むとともに、走査スイッチ３１１→陰極線（Ｂ１）→発光素子（Ｅ２、１）→発光素子（Ｅ２、２）→走査スイッチ３１２のルート、走査スイッチ３１３→陰極線（Ｂ３）→発光素子（Ｅ２、３）→発光素子（Ｅ２、２）→走査スイッチ３１２のルート、・・・、走査スイッチ３１６４→陰極線（Ｂ６４）→発光素子（Ｅ２、６４）→発光素子（Ｅ２、２）→走査スイッチ３１２のルートからも同時に充電電流が流れ込み、発光素子（Ｅ２、２）はこれら複数の充電電流によって瞬時に充電されて発光し、図４に示す定常状態に瞬時に移行するようになっている。
【００３９】
また、発光素子（Ｅ３、２）には、電流源４１３→駆動スイッチ４２３→陽極線（Ａ３）→発光素子（Ｅ３、２）→走査スイッチ３１２の通常のルートで充電電流が流れ込むとともに、走査スイッチ３１１　→陰極線（Ｂ１）→発光素子（Ｅ３、１）→発光素子（Ｅ３、２）→走査スイッチ３１２のルート、走査スイッチ３１３→陰極線（Ｂ３）→発光素子（Ｅ３、３）→発光素子（Ｅ３、２）→走査スイッチ３１２のルート、・・・、走査スイッチ３１６４→陰極線（Ｂ６４）→発光素子（Ｅ３、６４）→発光素子（Ｅ３、２）→走査スイッチ３１２のルートからも同時に充電電流が流れ込み、発光素子（Ｅ２、２）はこれら複数の充電電流によって瞬時に充電されて発光し、　図４に示す定常状態に瞬時に移行するようになっている。
【００４０】
以上のように、有機ＥＬパネル１０のパッシブ駆動においては、次の走査に移行する前に、陰極線と陽極線のすべてを一旦アース電位である０Ｖに接続してリセットするようにしたので、次の走査線に切り換えられた際に、切り換えられた走査線上の発光素子を瞬時に発光させることができるようになっている。
【００４１】
なお、前記発光させるべき発光素子（Ｅ２、２）、（Ｅ３、２）以外の他の発光素子についても、　図３中に矢印で示したようなルートでそれぞれ充電が行なわれるが、これらの充電方向は逆バイアス方向であるので、発光素子（Ｅ２、２）、（Ｅ３、２）以外の他の発光素子が誤発光するおそれはないようになっている。
【００４２】
〔第１実施形態〕
次に、図５を用いて本願の有機ＥＬパネル１０の駆動装置２０の第１実施形態について説明する。
【００４３】
本実施形態の有機ＥＬパネル１０の駆動装置２０は、上述した陽極線走査回路に対して複数の陽極線（Ａ）毎にブロックを構成し、各ブロック毎に基準電流（ｉ）を発生させる点に特徴があり、しがって、以下に説明する陽極線走査回路以外の構成は、上述と同様であり、同一部材には同一番号を付して説明を省略する。
【００４４】
また、本実施形態では、上述と同様に、ドライブ方法は、陰極線走査・陽極線ドライブとして説明する。
【００４５】
さらに、上述の有機ＥＬパネルの駆動方法は、陽極線（Ａ）は２５６本および陰極線は６４本として説明しているが、本実施形態では、説明の都合上、陽極線（Ａ）は９本（Ａ１）〜（Ａ９）として説明する。
【００４６】
本実施形態の陽極線走査回路１００は、図５に示すように、上記発光素子（Ｅ）の駆動源となる基準電流（ｉ）を複数のブロック毎に発生させる基準電流発生部１０１と、各レジスタ１０２に記憶された調整値に基づいて、この発生された各ブロック毎の基準電流（ｉ）の電流値を調整する調整部１０３と、調整された基準電流値を後述する駆動回路に出力させる電界効果トランジスタ（ＦＥＴ）１０５と、有機ＥＬからなる発光素子（Ｅ）に供給する基準電流（ｉ）の供給制御を行う駆動回路１０４と、を備えている。
【００４７】
また、本実施形態では、複数の陽極線（Ａ）により３つのブロックを構成するようになっており、各ブロック毎に、基準電流（ｉ）を発生させるとともに、当該基準電流（ｉ）を調整し、この調整された基準電流（ｉ）を各ブロックの各陽極線（Ａ）に入力するようになっている。
【００４８】
例えば、本実施形態では、陽極線（Ａ１）〜（Ａ３）、陽極線（Ａ４）〜（Ａ６）および陽極線（Ａ７）〜（Ａ９）によって３つのブロックを構成するようになっている。
【００４９】
なお、例えば、本実施形態の基準電流発生部１０１は、本発明に係る基準電流発生手段を構成し、調整部１０３は、本発明に係る調整手段および制御手段を構成している。
【００５０】
また、例えば、本実施形態の駆動回路１０４は、本発明に係る駆動回路を構成している。
【００５１】
基準電流発生部１０１は、図５に示すように、３つのブロックを構成する各陽極線（Ａ）に対して、各ブロック毎に基準電流（ｉ）を発生させ、調整部１０３によって調整された基準電流値を、ＦＥＴ１０５を介して駆動回路１０４に出力するようになっている。
【００５２】
調整部１０３は、レジスタ１０２と接続され、レジスタに記憶された基準電流（ｉ）の電流値に基づいて微少電流を発生させ、基準電流発生部１０１によって発生された基準電流（ｉ）に、当該発生させた微少電流を加えるようになっている。
【００５３】
駆動回路１０４は、調整された基準電流値の駆動回路１０４への出力を制御するＦＥＴ１０５と陽極線（Ａ）毎にカレントミラー回路を構成するＦＥＴ１０６と、各陽極線（Ａ）毎に基準電流のＯＮ／ＯＦＦを切り換え、各陽極線（Ａ）毎に発光素子（Ｅ）の駆動を切り換える駆動スイッチ（ＳＷ）１０７とから構成される。
【００５４】
この駆動回路１０４は、上述のように、基準電流発生回路１０１によって発生される基準電流（ｉ）毎にブロック化され、各ブロック毎に基準電流（ｉ）が入力されるようになっている。
【００５５】
例えば、本実施形態の駆動回路１０４では、図５に示すように、ＦＥＴ１０６１〜１０６３、ＦＥＴ１０６４〜１０６６およびＦＥＴ１０６７〜１０６９よって各ブロックを構成するようになっている。
【００５６】
また、駆動回路１０４は、当該１のブロックには１の基準電流（ｉ）が入力されるようになっており、この複数の陽極線（Ａ）に基準電流ｉを供給するＦＥＴ１０６には、ブロック毎に共通の入力電圧が印加されるとともに、当該入力電圧により、各ＦＥＴ１０６に基準電流（ｉ）が入力されるようになっている。
【００５７】
各ＦＥＴ１０６は、陽極線（Ａ）毎にＦＥＴ１０５とカレントミラー回路を構成するようになっており、これにより、ＦＥＴ１０５に生ずる基準電流（ｉ）を正確に駆動回路に１０４に入力することができるようになっている。
【００５８】
具体的には、各ＦＥＴ１０６のゲートは、ブロック毎に、基準電流発生部１０１からの基準電流（ｉ）の出力を行うＦＥＴ１０５のゲートと接続されるとともに、各ＦＥＴ１０６のゲートには、各ブロック毎に所定の電圧が印加されるようになっており、各ＦＥＴ１０６のソースには、ブロック毎のＦＥＴ１０５のドレインが接続されるとともに電源（ＶＤＤＨ）に接続され、ＦＥＴ１０６の各ドレインが各陽極線（Ａ）の駆動スイッチ１０７の一端に接続されるようになっている。
【００５９】
各駆動スイッチ（ＳＷ）１０７は、外部からの制御、具体的には、上述の発光制御回路６０によって、各陽極線（Ａ）に基準電流（ｉ）の入力のＯＮ／ＯＦＦを切り換えるようになっており、当該スイッチがＯＮになったときに、すなわち、当該陽極線（Ａ）が発光制御回路６０によって選択された場合に、駆動回路１０４に入力された基準電流（ｉ）を各陽極線（Ａ）に出力するようになっている。
【００６０】
なお、本実施形態の駆動スイッチ１０７は、上述したように、各陽極線（Ａ）を選択するための駆動スイッチ４２を示す。
【００６１】
本実施形態では、上述のような構成を有することにより、各ブロック毎に、基準電流発生部１０１によって発生された基準電流（ｉ）が調整部１０３によって調整され、当該調整された基準電流（ｉ）がＦＥＴ１０５に入力されると、ＦＥＴ１０５および各ＦＥＴ１０６とのカレントミラー回路によってその基準電流（ｉ）が駆動回路１０４に入力されるとともに、駆動回路１０４に入力された基準電流（ｉ）が、ＦＥＴ１０６を介して駆動スイッチ１０７の他端に流れ込み、駆動スイッチ１０７のＯＮ／ＯＦＦにより、各陽極線（Ａ）に基準電流（ｉ）が供給されるようになっている。
【００６２】
なお、各陽極線（Ａ）には、上述したように、発光制御回路６０によって選択された場合に、駆動スイッチ（ＳＷ）１０７がＯＮされ、駆動回路１０４から基準電流（ｉ）を供給するようになっている。
【００６３】
以上により本実施形態によれば、有機ＥＬパネル１０における一方の走査線の走査方向である陽極線（Ａ）の各走査線毎に、各発光素子（Ｅ）を駆動する際に基準となる基準電流を供給する陽極線走査回路１００と、有機ＥＬパネル１０における他方の走査方向である陰極線（Ｂ）の各走査線毎に、予め定められた電圧を印加する陰極線走査回路３０と、を備え、陽極線走査回路１００が、有機ＥＬパネル１０の複数の陽極線（Ａ）毎から構成されるブロック毎に基準電流（ｉ）を発生させる基準電流発生部１０１と、発生させた基準電流（ｉ）毎に電流値を調整する調整部１０３と、調整された各基準電流（ｉ）を陽極線（Ａ）の走査線毎に供給する駆動回路１０４と、を有する構成をしている。
【００６４】
この構成により、本実施形態では、陽極線（Ａ）毎に、ブロック毎に調整された基準電流（ｉ）を供給することができるので、基準電流（ｉ）が陽極線（Ａ）に供給する際に、当該基準電流（ｉ）の電流値がばらついたとしても、当該基準電流（ｉ）の電流値を調整することができ、発光素子（Ｅ）の輝度を調整することができる。
【００６５】
したがって、トランジスタの成形、不純物のむら、ゲート幅のばらつきなど、陽極線走査回路を半導体チップによって製造上発生するばらつきや、半導体チップ内の端と端の駆動回路では物理上数ｍｍの距離があることによるばらつきにより、発光素子（Ｅ）の輝度にムラが生ずる場合であっても、陽極線（Ａ）に入力する基準電流（ｉ）の電流値を調整することができるので、有機ＥＬパネル上の輝度ムラを防止することができる。
【００６６】
また、本実施形態では、基準電流発生回路１０１が、ブロック毎に基準電流（ｉ）を発生させる場合であって、駆動回路１０４が、ブロック毎に、調整部１０３によって調整された各基準電流（ｉ）に伴う電圧である各入力電圧が印加されることにより、当該各ブロック毎の各走査線に前記基準電流を供給する構成を有している。
【００６７】
この構成により、本実施形態では、駆動回路１０４に、ブロック毎に基準電流（ｉ）を入力する際に、基準電流（ｉ）に伴う電圧によって各陽極線（Ａ）に供給する基準電流（ｉ）の供給制御を行うことができる。
【００６８】
したがって、例えば、駆動回路１０４にカレントミラー回路を構成することによって、正確に基準電流（ｉ）を当該駆動回路１０４に入力することができる。
【００６９】
また、本実施形態によれば、陽極線走査回路１００に、予め設定された基準電流（ｉ）の値を格納するレジスタ１０３から当該電流値を取得するとともに、取得した基準電流（ｉ）の値に基づいて基準電流（ｉ）を調整する調整部１０３を設けた構成を有している。
【００７０】
この構成により、本実施形態では、常に、各陽極線（Ａ）に供給する基準電流（ｉ）の電流値を一定に調整することができるので、容易に、かつ、簡便に、各陽極線（Ａ）に供給する基準電流（ｉ）を調整することができる。
【００７１】
〔第２実施形態〕
次に、図６を用いて本願の有機ＥＬパネル１０の他の駆動装置２０の第２実施形態について説明する。
【００７２】
本実施形態は、第１実施形態において、基準電流に伴う入力電圧に基づいて駆動回路のブロック毎の各ＦＥＴに入力電圧を印加している点に代えて、駆動回路の各ブロック毎のＦＥＴをそれぞれ抵抗（Ｒ）によって連接している点、および、各ブロックに各基準電流に伴う入力電圧を印加するとともに、各ブロックの駆動回路の他端のＦＥＴと隣接する他のブロックの一端のＦＥＴを抵抗によって接続する点に特徴があり、その他の構成は第１実施形態と同様であるため、同一部材には同一番号を付して説明を省略する。
【００７３】
なお、本実施形態では、各駆動回路の各ＦＥＴを接続する抵抗は、同一の抵抗値を有している。
【００７４】
本実施形態の陽極線走査回路２００は、図６に示すように、基準電流（ｉ）を複数のブロック毎に発生させる基準電流発生部１０１と、各レジスタ１０２に記憶された調整値に基づいて基準電流（ｉ）の電流値を調整する調整部１０３と、調整された基準電流値を後述する駆動回路に出力させるＦＥＴ１０５と、発光素子（Ｅ）に供給する基準電流（ｉ）の供給制御を行い、各ＦＥＴ１０６を接続する抵抗（Ｒ）２０１を有する駆動回路２０２と、を備えている。
【００７５】
駆動回路２０２は、ＦＥＴ１０５と陽極線（Ａ）毎にカレントミラー回路を構成するＦＥＴ１０６と、各陽極線（Ａ）毎に発光素子（Ｅ）の駆動を切り換える駆動スイッチ（ＳＷ）１０７と、各ＦＥＴ１０とが他のＦＥＴ１０６とを接続する各抵抗（Ｒ）２０１とから構成される。
【００７６】
なお、例えば、本実施形態のＦＥＴ１０６は、本発明に係るスイッチング回路を構成し、抵抗（Ｒ）２０１は、本発明に係る分圧回路を構成している。
【００７７】
この各抵抗（Ｒ）２０は、駆動回路２０２に入力された各ブロック毎の入力電圧を分圧するとともに、各分圧した入力電圧を各ＦＥＴ１０６に印加するようになっている。
【００７８】
このため、各ブロック毎に各入力電圧の電位差が生じた場合には、各ＦＥＴ１０６のゲートには、それぞれ、当該電位差を段階的に分圧し、直線的に入力電圧を補完するようになっている。
【００７９】
例えば、図６に示すＦＥＴ１０５１のゲートに接続されるＦＥＴ１０６１のゲートに対する入力電圧が１．００Ｖ、ＦＥＴ１０５２のゲートに接続されるＦＥＴ１０６５のゲートに対する入力電圧が１．１２Ｖのとき、ＦＥＴ１０６２のゲート、ＦＥＴ１０６３のゲート、ＦＥＴ１０６４のゲートには、抵抗（Ｒ）２０１１〜抵抗（Ｒ）２０１４により段階的に分圧された入力電圧が入力される。
【００８０】
すなわち、ＦＥＴ１０６２のゲートには、１．０３Ｖ、ＦＥＴ１０６３のゲートには、１．０６Ｖ、ＦＥＴ１０６４のゲートには、１．０９Ｖが入力されることとなる。
【００８１】
同様に、ＦＥＴ１０６６のゲート、ＦＥＴ１０６７のゲート、ＦＥＴ１０６８のゲートにも、ＦＥＴ１０６５のゲートの入力電圧とＦＥＴ１０６９のゲートの入力電圧の電位差と抵抗（Ｒ）２０１１〜抵抗（Ｒ）２０１４に基づいて段階的に分圧された入力電圧が入力される。
【００８２】
一方、隣接するＦＥＴ１０５２に直接接続され、入力電圧１．１２Ｖを直接入力するＦＥＴ１０６５のゲートには、１．１２Ｖが印加されることになる。
【００８３】
したがって、各ＦＥＴ１０６のゲートには、ブロック毎に入力された入力電圧の電位差に基づいて段階的に分圧された入力電圧が入力されるようになるので、ブロック毎に入力される基準電流（ｉ）を段階的に補正することによって、陽極線（Ａ）輝度ムラを段階的、直線的に補完することができ、陽極線（Ａ）間毎の輝度ずれを調整することができきるようになっている。
【００８４】
以上により本実施形態によれば、第１実施形態に加えて、駆動回路２０２に、陽極線（Ａ）の各走査線毎に、各ブロック毎に印加される入力電圧に基づいて当該各走査線への基準電流の供給を制御するＦＥＴ１０６を設け、各ブロック毎の各ＦＥＴ１０６を、ブロック毎に印加される入力電圧を分圧する抵抗（Ｒ）２０１によって連接されるとともに、各ブロックの一端に連接されたＦＥＴ１０６を、隣接する他のブロックの一端のＦＥＴ１０６と抵抗（Ｒ）によって連接される構成を有している。
【００８５】
この構成により、本実施形態では、駆動回路２０２に入力される基準電流（ｉ）の電流値がブロック毎に異なる場合に、陽極線（Ａ）毎に当該各ＦＥＴ１０６に印加される入力電圧をブロックから他のブロックまで段階的に調整することができるので、各陽極線（Ａ）に入力される基準電流（ｉ）は、段階的に当該基準電流（ｉ）の電流値を調整することができ、発光素子（Ｅ）の輝度を調整することができる。
【００８６】
したがって、トランジスタの成形、不純物のむら、ゲート幅のばらつきなど、陽極線走査回路を半導体チップによって製造上発生するばらつきや、半導体チップ内の端と端の駆動回路では物理上数ｍｍの距離があることによるばらつきにより、発光素子（Ｅ）の輝度にムラが生ずる場合であっても、陽極線（Ａ）に入力する基準電流（ｉ）の電流値を調整することができるので、有機ＥＬパネル上の隣接する陽極線の輝度ムラを防止することができる。
【００８７】
〔第３実施形態〕
次に、図７を用いて本願の有機ＥＬパネル１０の駆動装置２０の第３実施形態について説明する。
【００８８】
本実施形態は、第１実施形態において、各ブロック毎に、レジスタに格納された値に基づいて発生させた基準電流（ｉ）を調整している点に代えて、各ブロック毎に、駆動回路に入力された基準電流（ｉ）を測定するとともに、当該測定した基準電流（ｉ）に基づいて調整部を制御する点に特徴があり、その他の構成は第１実施形態と同様であるため、同一部材には同一番号を付して説明を省略する。
【００８９】
本実施形態の陽極線走査回路３００は、図７に示すように、基準電流（ｉ）を複数のブロック毎に発生させる基準電流発生部１０１と、基準電流（ｉ）の電流値を調整する調整部１０３と、調整された基準電流値を後述する駆動回路に出力させるＦＥＴ１０５と、発光素子（Ｅ）に供給する基準電流（ｉ）の供給制御を行う駆動回路３０１と、駆動回路３０１の各陽極線（Ａ）に供給される基準電流（ｉ）を各ブロック毎に測定する測定部３０３と、各測定部３０３による測定結果に基づいて各調整部１０３に対して基準電流（ｉ）のフィードバック制御を行う制御部３０４と、を備えている。
【００９０】
なお、例えば、本実施形態の制御部３０４は、本発明に係る制御手段を構成している。
【００９１】
駆動回路３０１は、ＦＥＴ１０５と陽極線（Ａ）毎にカレントミラー回路を構成するＦＥＴ１０６と、各陽極線（Ａ）毎に発光素子（Ｅ）の駆動を切り換える駆動スイッチ（ＳＷ）１０７と、各ブロック毎の陽極線（Ａ）に供給する基準電流（ｉ）を測定するＦＥＴ３０２とから構成される。
【００９２】
なお、例えば、本実施形態のＦＥＴ３０２は、本発明に係る基準電流取得手段および取得用スイッチング回路を構成している。
【００９３】
ＦＥＴ３０２は、各ブロック毎に１づつ設けられるようになっており、ＦＥＴ１０６と同様に、当該ＦＥＴ３０２のゲートは、各ブロック毎のＦＥＴ１０６のゲートに接続されるとともに、当該ＦＥＴ３０２は、ＦＥＴ１０５とカレントミラー回路を構成するようになっている。
【００９４】
各測定部３０３には、ＦＥＴ３０２によって測定された各ブロック毎の基準電流（ｉ）が入力されるようになっており、この各測定部３０３は、この入力された各ブロック毎の基準電流（ｉ）を測定し、この測定結果を制御部３０４に出力するようになっている。
【００９５】
具体的には、この各測定部３０３は、入力端子には抵抗が接続されるとともに、入力された基準電流（ｉ）によって当該抵抗に両端に発生した電圧と、予め定められた値と、を比較することによってその電位差に応じた出力を制御部３０４に出力するようになっている。
【００９６】
各制御部３０１は、ブロック毎に設けられ、各ブロック毎の調整部１０３を制御することによって基準電流発生部１０１によって発生された基準電流（ｉ）を調整させ、各ＦＥＴ１０５に出力させるようになっている。
【００９７】
具体的には、この各制御部３０１には、測定部３０３の測定結果が入力されるようになっており、各制御部３０１は、入力された測定結果に基づいて、調整部１０３内の電流発生量を制御し、一定の基準電流（ｉ）となるように、当該調整部１０３を制御するようになっている。
【００９８】
本実施形態では、このような構成を有することにより、各ブロック毎に、駆動回路３０１に基準電流（ｉ）が入力されると、ＦＥＴ１０５および各ＦＥＴ１０６とのカレントミラー回路によってその基準電流（ｉ）が駆動回路３０１に入力され、ＦＥＴ１０６の他にＦＥＴ３０２を介してブロック毎の基準電流（ｉ）が測定部３０３に入力される。
【００９９】
また、測定部３０３は、この入力された基準電流（ｉ）の測定結果を制御部３０４に出力するようになっており、制御部３０４は、各ブロック毎に入力された測定結果に基づいて調整部１０３を制御し、基準電流発生部１０１から発生された基準電流（ｉ）を調整するようになっている。
【０１００】
なお、駆動回路３０１では、第１実施形態と同様に、駆動回路３０１に入力された基準電流（ｉ）が、ＦＥＴ１０６を介して駆動スイッチ１０７の他端に流れ込み、駆動スイッチ１０７のＯＮ／ＯＦＦにより、各陽極線（Ａ）に基準電流（ｉ）を供給するようになっており、各陽極線（Ａ）には、上述したように、発光制御回路６０によって選択された場合に、駆動スイッチ（ＳＷ）１０７がＯＮされ、駆動回路３０１から基準電流（ｉ）を供給するようになっている。
【０１０１】
以上により本実施形態によれば、陽極線走査回路１００に、各ブロック毎に調整部１０３によって調整された各基準電流を取得するＦＥＴ１０６と、取得された各基準電流の電流値に基づいて調整部１０３を制御する制御部３０４と、を設けた構成を有している。
【０１０２】
この構成により、本実施形態では、駆動回路３０１からブロック毎に各陽極線（Ａ）に供給される基準電流（ｉ）を取得するとともに、当該取得他基準電流（ｉ）に基づいて各ブロック毎に駆動回路３０１に入力させる基準電流（ｉ）の電流値を制御することができるので、常に、各陽極線（Ａ）に供給する基準電流（ｉ）の電流値を一定に調整することができるとともに、容易に、かつ、的確に、各陽極線（Ａ）に供給する基準電流（ｉ）を調整することができる。
【０１０３】
また、本実施形態によれば、駆動回路３０１に、陽極線（Ａ）の各走査線毎に、各ブロック毎に印加された入力電圧に基づいて当該各陽極線（Ａ）への基準電流（ｉ）の供給を制御するＦＥＴ１０６が設けられている場合であって、ＦＥＴ３０３が、各ブロック毎に、各ブロック毎に印加される入力電圧に基づいて基準電流（ｉ）を取得するとともに、各ブロック毎に設けられた複数のＦＥＴ１０６のうち少なくとも何れか１のＦＥＴ１０６に連接される構成を有している。
【０１０４】
この構成により、本実施形態では、ＦＥＴ３０２によって実際に駆動回路３０１から出力される基準電流（ｉ）を取得するとともに、この取得した基準電流（ｉ）に基づいて各ブロック毎に駆動回路３０１に入力させる基準電流（ｉ）の電流値を制御することができるので、常に、各陽極線（Ａ）に供給する基準電流（ｉ）の電流値を一定に調整することができるとともに、容易に、かつ、的確に、各陽極線（Ａ）に供給する基準電流（ｉ）を調整することができる。
【０１０５】
なお、本実施形態では、ブロック毎に、駆動回路３０１に入力された基準電流（ｉ）を測定し、当該測定した基準電流（ｉ）に基づいて調整部１０３を制御して生成した基準電流（ｉ）を調整しているが、第２実施形態のように、駆動回路のＦＥＴを、各ブロックの基準電流（ｉ）を測定するためのＦＥＴ３０２を含め、それぞれ抵抗（Ｒ）によって連接するとともに、各ブロックに入力電圧が印加され、当該各ブロックの駆動回路の他端のＦＥＴと隣接する他のブロックの一端のＦＥＴとも抵抗（Ｒ）によって接続するようにしてもよく、この構成を図８に示す。
【０１０６】
この場合、陽極線走査回路４００は、上述と同様に、図８に示すように、基準電流（ｉ）を複数のブロック毎に発生させる基準電流発生部１０１と、基準電流（ｉ）の電流値を調整する調整部１０３と、調整された基準電流値を後述する駆動回路に出力させるＦＥＴ１０５と、発光素子（Ｅ）に供給する基準電流（ｉ）の供給制御を行う駆動回路３０１と、駆動回路３０１の各陽極線（Ａ）に供給される基準電流（ｉ）を各ブロック毎に測定する測定部３０３と、各測定部３０３による測定結果に基づいて各調整部１０３に対して基準電流（ｉ）のフィードバック制御を行う制御部３０４と、を備え、第２実施形態と同様に、各ブロック毎に駆動回路３０１の各ＦＥＴ１０６を抵抗（Ｒ）４０１で連接するとともに、何れかの１のＦＥＴ１０６とＦＥＴ３０２を連接し、各ブロック毎の他端のＦＥＴ１０６と隣接する他のブロックの一端のＦＥＴ（図８ではＦＥＴ３０２）とを抵抗（Ｒ）４０１によって接続するようにする。
【０１０７】
したがって、上述の効果に加えて、駆動回路３０１に入力される基準電流（ｉ）の電流値がブロック毎に異なる場合に、陽極線（Ａ）毎に当該各ＦＥＴ１０６に印加される入力電圧をブロックから他のブロックまで段階的に調整することができるので、各陽極線（Ａ）に入力される基準電流（ｉ）は、段階的に当該基準電流（ｉ）の電流値を調整することができ、発光素子（Ｅ）の輝度を調整することができる。
【０１０８】
この結果、トランジスタの成形、不純物のむら、ゲート幅のばらつきなど、陽極線走査回路を半導体チップによって製造上発生するばらつきや、半導体チップ内の端と端の駆動回路では物理上数ｍｍの距離があることによるばらつきにより、発光素子（Ｅ）の輝度にムラが生ずる場合であっても、陽極線（Ａ）に入力する基準電流（ｉ）の電流値を調整することができるので、有機ＥＬパネル上の隣接する陽極線の輝度ムラを防止することができる。
【０１０９】
なお、各駆動回路の各ＦＥＴを接続する抵抗（Ｒ）は、第２実施形態と同様に、同一の抵抗値を有する。
【０１１０】
〔第４実施形態〕
次に、図９を用いて本願の有機ＥＬパネル１０の駆動装置２０の第４実施形態について説明する。
【０１１１】
本実施形態は、第１実施形態において、各ブロック毎に、レジスタに格納された値に基づいて発生させた基準電流（ｉ）を調整している点に代えて、各陽極線毎に供給される基準電流（ｉ）を用いて当該供給される各基準電流（ｉ）を調整する点、および、調整部が予め設定された時間毎（時分割）に各基準電流（ｉ）を調整する点に特徴があり、その他の構成は第１実施形態と同様であるため、同一部材には同一番号を付して説明を省略する。
【０１１２】
本実施形態の陽極線走査回路５００は、図９に示すように、基準電流（ｉ０）を発生させる基準電流発生部５０１と、各陽極線（Ａ）毎の基準電流（ｉｎ）の電流値と発生された基準電流（ｉ０）を比較する調整する比較器５０２と、抵抗（Ｒ）５０３と、各陽極線（Ａ）毎の基準電流（ｉｎ）の出力の切り換えを行う出力制御スイッチ（ＳＷ）５０４と、各陽極線（Ａ）毎に発光素子（Ｅ）に供給する基準電流（ｉｎ）の供給制御を行う駆動回路５０５と、を備えている。
【０１１３】
なお、例えば、本実施形態の基準電流発生部５０１は、本発明に係る基準電流発生手段を構成し、比較器５０２は、本発明に係る調整手段および制御手段を構成する。
【０１１４】
また、例えば、本実施形態の出力制御スイッチ（ＳＷ）５０４は、本発明に係る基準電流取得手段を構成する。
【０１１５】
基準電流発生部５０１は、唯一の基準電流ｉ０を生成し、当該基準電流（ｉ）を用いて発生させた電圧（Ｖ０）を比較器５０２の一方の入力端子に出力するようになっている。
【０１１６】
比較器５０２には、基準電流発生部５０１から出力された基準電流（ｉ０）に発生された電圧（Ｖ０）と、駆動回路５０５が各陽極線（Ａ）に供給する際の基準電流（ｉｎ）と抵抗（Ｒ）５０３によって発生した電圧（Ｖ１）と、が入力されるようになっており、比較器５０３は、入力された基準電流（ｉ）発生部５０１によって出力された電圧（Ｖ０）と抵抗（Ｒ）５０３の両端にかかる電圧（Ｖ１）を比較し、その差に応じた入力電圧を駆動回路５０５に印加するようになっている。
【０１１７】
なお、比較器５０２は、出力制御スイッチ（ＳＷ）５０４と後述する入力制御スイッチ（ＳＷ）５０６ｎとにより、順次、陽極線（Ａ）毎に入力電圧を印加するようになっている。
【０１１８】
出力制御スイッチ（ＳＷ）５０４は、駆動回路５０５が各陽極線（Ａ）に供給する際の基準電流（ｉｎ）の比較器５０２への出力を切り換えるようになっており、外部からの制御により、このＯＮ／ＯＦＦを切り換えるようになっている。
【０１１９】
具体的には、出力制御スイッチ（ＳＷ）５０４は、ＦＥＴ１０６のドレインに接続されるとともに、比較器５０３の一端と抵抗（Ｒ）５０３に接続され、駆動回路５０５から出力された基準電流（ｉ）を当該抵抗（Ｒ）５０３によって電圧（Ｖ１）を生じさせ、比較器５０２の他方に入力するようになっている。
【０１２０】
また、駆動回路５０５は、各陽極線（Ａ）毎に基準電流（ｉｎ）の供給制御を行うＦＥＴ１０６と、各陽極線（Ａ）毎に発光素子（Ｅ）の駆動を切り換える駆動スイッチ（ＳＷ）１０７と、各ＦＥＴ１０６の入力電圧の入力のＯＮ／ＯＦＦを行う入力制御スイッチ５０６と、各ＦＥＴの入力電圧を保持するコンデンサ（Ｃ）５０７とから構成される。
【０１２１】
なお、例えば、本実施形態のＦＥＴ１０６は、本発明に係るスイッチング回路を構成し、コンデンサ（Ｃ）５０７は、本発明に係る電流（ｉ）調整手段を構成している。
【０１２２】
入力制御スイッチ（ＳＷ）５０６は、比較器５０２の出力側とＦＥＴ１０６のゲートおよびコンデンサ（Ｃ）５０７に接続されるようになっており、出力制御スイッチ（ＳＷ）５０４に連動してスイッチのＯＮ／ＯＦＦを切り換えるようになっている。
【０１２３】
コンデンサ（Ｃ）５０７には、入力制御スイッチ（ＳＷ）５０６がＯＮされたときに、入力電圧が印加されるとともに、この入力制御スイッチ（ＳＷ）５０６がＯＦＦされたときに、当該コンデンサ（Ｃ）５０７が保持する電圧をＦＥＴ１０６に印加するようになっている。
【０１２４】
次に、図１０を用いて本実施形態において、基準電流（ｉ）を補正する補正原理について説明する。
【０１２５】
なお、図１０は、本実施形態の補正動作の原理を説明するための図であり、ここでは、任意の陽極線（Ａｎ）を駆動するＦＥＴ１０６ｎおよび駆動スイッチ（ＳＷ）１０７ｎを用いて説明する。
【０１２６】
また、本実施形態では、各陽極線（Ａ）には、上述したように、発光制御回路６０によって選択された場合に、駆動スイッチ（ＳＷ）１０７がＯＮされ、駆動回路５０５から基準電流（ｉ）を供給するようになっているため、駆動スイッチ（ＳＷ）１０７がＯＦＦされているときに、当該補正動作を行うようになっている。
【０１２７】
さらに、本実施形態では、後述するように、発光制御回路６０によって発光素子（Ｅ）を走査させる際の水平同期信号（ＨＳＹＮＣ）直後に各陽極線（Ａ）毎に順次行うようになっているので、陽極線走査回路５００は、この水平同期信号に基づいて出力制御スイッチ（ＳＷ）５０４ｎと入力制御スイッチ（ＳＷ）５０６ｎを制御する、すなわち、水平同期信号直後に予め設定された期間に出力制御スイッチ（ＳＷ）５０４ｎと入力制御スイッチ（ＳＷ）５０６ｎをＯＮするようになっている。
【０１２８】
まず、任意の水平同期信号が発光制御回路６０より陽極線走査回路５００に入力されると、陽極線走査回路５００は、出力制御スイッチ（ＳＷ）５０４ｎと入力制御スイッチ（ＳＷ）５０６ｎを連動させてＯＮにする。
【０１２９】
このとき、比較器５０２は、図１０（ａ）に示すように、基準電流発生部５０１から出力された電圧Ｖ０と、後述するように抵抗（Ｒ）５０３の両端に生ずる電圧Ｖ１とが入力され、この電位差に基づいて所定の電圧を出力する。
【０１３０】
また、比較器５０２から所定の電圧が出力されると、入力制御スイッチ（ＳＷ）５０６ｎがＯＮされているため、当該比較器５０２から出力された電圧によってコンデンサ（Ｃ）５０７ｎに電圧が印加されるとともに、ＦＥＴ１０６ｎのゲートに当該電圧が印加され、基準電流（ｉ）がＦＥＴ１０６ｎのソースからドレインに流れる。
【０１３１】
このとき、駆動スイッチ（ＳＷ）１０７ｎがＯＦＦであり、出力制御スイッチ（ＳＷ）５０４がＯＮであることから、ＦＥＴ１０６のドレインから基準電流（ｉ）は出力制御スイッチ（ＳＷ）５０４ｎを介して抵抗（Ｒ）５０３に流れ込み、抵抗（Ｒ）５０３に所定の電圧を生じさせ、上述のように比較器５０２の他方の入力端子に入力される。
【０１３２】
次いで、任意の水平同期信号に基づいて陽極線走査回路５００は、出力制御スイッチ（ＳＷ）５０４ｎと入力制御スイッチ（ＳＷ）５０６ｎを連動させてＯＦＦにすると、図１０（ｂ）に示すように、コンデンサ（Ｃ）５０７ｎに生じた電圧Ｖ２がＦＥＴ１０６ｎのゲートに印加される。
【０１３３】
このとき、駆動スイッチ（ＳＷ）１０７ｎがＯＮされている場合には、ＦＥＴ１０６ｎのゲートに電圧が印加されることにより、基準電流（ｉ）がＦＥＴ１０６ｎのソースからドレインに流れ、陽極線（Ａｎ）に基準電流（ｉ）が供給されることになる。
【０１３４】
本実施形態では、各出力スイッチ（ＳＷ）５０４および駆動回路５０５における各コンデンサ（Ｃ）５０７および各ＦＥＴ１０６を用いることによって各陽極線（Ａ）毎に、このような補正動作を行うことにより、順次、陽極線（Ａ）毎に当該各陽極線（Ａ）に供給する基準電流（ｉ）を調整するようになっている。
【０１３５】
次に、図１１を用いて各陽極線（Ａ）毎の補正動作のタイミングについて説明する。
【０１３６】
なお、図１１は、本実施形態の補正動作のタイミングを示すタイミングチャートである。
【０１３７】
本実施形態では、図１１に示すように、各陽極線（Ａ）毎の補正は、水平同期信号に基づいて、各陽極線（Ａ）毎に上述の補正動作を行うようになっている。
【０１３８】
例えば、陽極線（Ａ１）に基準電流（ｉ）を供給する場合、まず、最初に入力された水平同期信号に基づいて出力制御スイッチ（ＳＷ）５０４１と入力制御スイッチ（ＳＷ）５０６１をＯＮにし、陽極線（Ａ１）の基準電流（ｉ）を上述の補正動作を行うことにより補正する（補正区間）。
【０１３９】
次いで、出力制御スイッチ（ＳＷ）５０４１と入力制御スイッチ（ＳＷ）５０６１をＯＦＦにし、発光制御回路６０の制御に基づいて駆動スイッチ（ＳＷ）１０７のＯＮのときは、ＦＥＴ１０６１を介して当該基準電流（ｉ）を陽極線（Ａ１）に出力する（表示区間）。
【０１４０】
次いで、次の水平同期信号が入力されたときに、陽極線（Ａ２）に供給する基準電流（ｉ）を補正して当該陽極線（Ａ２）に出力する。
【０１４１】
以上のように、本実施形態では、水平同期信号に基づいて各陽極線（Ａ）毎に基準電流（ｉ）を補正して各陽極線（Ａ）に出力するようになっている。
【０１４２】
なお、上記のように、駆動スイッチ（ＳＷ）１０７は、各陽極線（Ａ）への基準電流（ｉ）の供給を制御しているため、駆動スイッチ（ＳＷ）１０７のＯＮ／ＯＦＦと駆動スイッチ（ＳＷ）１０７の出力は、一致するようになる。
【０１４３】
以上のように本実施形態によれば、基準電流発生部５０１が、陽極線（Ａ）の走査線毎に基準電流を発生させる場合であって、陽極線走査回路５００に、陽極線（Ａ）の各走査線毎に、当該各走査線へ供給する基準電流を取得する出力制御スイッチ（ＳＷ）５０４を設け、比較器５０２および各コンデンサ（Ｃ）５０７が、取得された各基準電流（ｉ）の電流値に基づいて前記陽極線（Ａ）の各走査線毎に基準電流発生部５０１によって発生された各基準電流（ｉ）の電流値を調整する構成を有している。
【０１４４】
この構成により、本実施形態では、各陽極線（Ａ）毎に当該各陽極線（Ａ）に供給する基準電流（ｉ）を調整することができるので、基準電流（ｉ）が陽極線（Ａ）に供給する際に、当該基準電流（ｉ）の電流値がばらついたとしても、当該基準電流（ｉ）の電流値を調整することができ、発光素子（Ｅ）の輝度を調整することができる。
【０１４５】
したがって、トランジスタの成形、不純物のむら、ゲート幅のばらつきなど、陽極線走査回路を半導体チップによって製造上発生するばらつきや、半導体チップ内の端と端の駆動回路では物理上数ｍｍの距離があることによるばらつきにより、発光素子（Ｅ）の輝度にムラが生ずる場合であっても、陽極線（Ａ）に入力する基準電流（ｉ）の電流値を調整することができるので、有機ＥＬパネル上の輝度ムラを防止することができる。
【０１４６】
また、本実施形態によれば、比較器５０２および各コンデンサ（Ｃ）５０７が、予め設定された時間間隔毎に、陽極線（Ａ）の各走査線毎に供給する各基準電流（ｉ）の電流値を順次調整する構成を有している。
【０１４７】
この構成により、本実施形態では、１の比較器５０２によって各陽極線（Ａ）毎に当該陽極線（Ａ）に供給する基準電流（ｉ）を調整することができるので、簡易な構成により、発光素子（Ｅ）の輝度を調整することができる。
【０１４８】
また、本実施形態によれば、出力制御スイッチ（ＳＷ）５０４によって取得された基準電流（ｉ）の電流値と前記基準電流発生部５０１によって発生される基準電流の電流値を比較する比較器５０２と、比較器５０２の比較結果に基づいて陽極線（Ａ）の各走査線毎に供給する各基準電流（ｉ）の電流値を調整する各コンデンサ（Ｃ）５０７と、を有する構成をしている。
【０１４９】
この構成により、本実施形態では、比較器５０２によって各陽極線（Ａ）に供給される基準電流（ｉ）と基準電流（ｉ）発生部５０１によって発生された基準電流（ｉ）を比較し、常に、当該比較結果に基づいて各陽極線（Ａ）毎に基準電流（ｉ）の電流値を一定に調整することができるので、容易に、かつ、的確に、各陽極線（Ａ）に供給する基準電流（ｉ）を調整することができる。
【０１５０】
また、本実施形態によれば、駆動回路５０５に、陽極線（Ａ）の各走査線毎に、比較器５０２および各コンデンサ（Ｃ）５０７によって調整された各基準電流（ｉ）に伴う電圧である各入力電圧に基づいて、当該調整された各基準電流（ｉ）の供給を制御するＦＥＴ１０６を設け、コンデンサ（Ｃ）５０７が、比較器５０２の比較結果に基づいて調整された各基準電流（ｉ）に伴う電圧である各入力電圧を保持するとともに、当該保持した入力電圧を駆動回路５０５に印加することによって各陽極線（Ａ）毎に供給する各基準電流（ｉ）の電流値を調整する構成を有している。
【０１５１】
この構成により、本実施形態では、常に、各陽極線（Ａ）に供給する基準電流（ｉ）の電流値を一定に調整することができるとともに、容易に、かつ、的確に、各陽極線（Ａ）に供給する基準電流（ｉ）を調整することができる。
【０１５２】
また、各陽極線（Ａ）に、基準電流（ｉ）を入力する際に、基準電流（ｉ）に伴う電圧によって各陽極線（Ａ）に供給する基準電流（ｉ）の供給制御を行うことができるので、正確に基準電流（ｉ）を当該駆動回路５０５に入力することができる。
【０１５３】
なお、本実施形態では、各陽極線（Ａ）における基準電流（ｉ）の補正動作を水平同期信号直後に各陽極線（Ａ）毎に順次行うようになっているが、原則的には、駆動スイッチ（ＳＷ）１０７がＯＦＦのときであって、駆動回路５０５が他の陽極線（Ａ）における基準電流（ｉ）の補正を行なっていないときであれば、いつでも可能である。
【図面の簡単な説明】
【図１】本願の発光素子（Ｅ）駆動装置における駆動方法の概要構成および動作を説明するための図である。
【図２】本願の発光素子（Ｅ）駆動装置における駆動方法の概要構成および動作を説明するための図である。
【図３】本願の発光素子（Ｅ）駆動装置における駆動方法の概要構成および動作を説明するための図である。
【図４】本願の発光素子（Ｅ）駆動装置における駆動方法の概要構成および動作を説明するための図である。
【図５】本願に係る発光素子（Ｅ）の駆動装置における第１実施形態の構成を示す図である。
【図６】本願に係る発光素子（Ｅ）の駆動装置における第２実施形態の構成を示す図である。
【図７】本願に係る発光素子（Ｅ）の駆動装置における第３実施形態の構成を示す図である。
【図８】本願に係る発光素子（Ｅ）の駆動装置における第３実施形態の他の構成を示す図である。
【図９】本願に係る発光素子（Ｅ）の駆動装置における第４実施形態の構成を示す図である。
【図１０】第４実施形態の駆動装置における補正動作の原理を説明するための図である。
【図１１】第４実施形態の駆動装置における補正動作の補正タイミングを示すタイミングチャートである。
【符号の説明】
１０　…　有機ＥＬパネル
２０　…　駆動装置
３０　…　陰極線走査回路
４０、１００、２００、３００、４００、５００　…　陽極線走査回路
１０１、５０１　…　基準電流発生部
１０２　…　レジスタ
１０３　…　調整部
１０４、２０２、３０１、５０５　…　駆動回路
１０６、３０２　…　ＦＥＴ
１０７　…　駆動スイッチ（ＳＷ）
２０１、４０１　…　抵抗（Ｒ）
３０３　…　測定部
３０４　…　制御部
５０２　…　比較器
５０４　…　出力制御スイッチ（ＳＷ）
５０６　…　入力制御スイッチ（ＳＷ）
５０７　…　コンデンサ（Ｃ）
【図１】
2004145027.tif 000003
【図２】
2004145027.tif 000004
【図３】
2004145027.tif 000005
【図４】
2004145027.tif 000006
【図５】
2004145027.tif 000007
【図６】
2004145027.tif 000008
【図７】
2004145027.tif 000009
【図８】
2004145027.tif 000010
【図９】
2004145027.tif 000011
【図１０】
2004145027.tif 000012
【図１１】
2004145027.tif 000013